(57)【特許請求の範囲】
【請求項１】
任意の元画像を所与の拡大倍率に画像拡大処理する画像調整装置であって、
元画像の各注目画素の周辺画素を参照して画素値を平均化させて画素の内挿を行い画像拡大処理を行う第一画像拡大処理部と、
前記元画像の各注目画素の最近隣の画素をそのまま参照して画像拡大処理を行う第二画像拡大処理部と、
前記第二画像拡大処理部で得られた拡大画像に対して、当該拡大画像中の絵柄のうち縦方向と横方向の両方のエッジ部が重なる部分としてコーナ部を検出し、当該コーナ部をジャギーとして除去してエッジ部の平滑化処理を行うエッジ平滑処理部と、
前記エッジ部及び当該エッジ部の周辺については前記エッジ平滑処理部からの拡大画像を、それ以外の画像部分については前記第一画像拡大処理部で得られた拡大画像を選択的に切り替えて合成し、かかる合成により最終的な拡大画像を得る切替部と、
を備え、
前記エッジ平滑処理部は、
縦方向及び横方向のそれぞれについて注目画素をシフトさせながらそれぞれの方向の画素値の差分を求めてエッジ部の検出を行うエッジ検出部と、
前記エッジ検出部で検出された縦方向と横方向の両方のエッジ部が重なる部分としてコーナ部を検出するコーナ部検出部と、
前記コーナ部検出部で検出されたコーナ部をジャギーとして画素値変換を行いエッジ部の平滑化処理を行う画素値変換部と、
を備え、
前記画素値変換部は、
互いにコントラストをなす２つの領域同士がそれぞれ１個の凸状のコーナ点と１個の凹状のコーナ点とを有して接し合うよう形成された２コーナの画素値変換を行う２−コーナ処理部と、
互いにコントラストをなす２つの領域同士がそれぞれ２個ずつの凸状のコーナ点を有して市松模様状に接し合うよう形成された４コーナの画素値変換を行う４−コーナ処理部と、
を備え、
前記コーナ部検出部で検出されたコーナ部の画素値変換時に、前記４コーナの場合は前記４−コーナ処理部で画素値変換を行う一方、それ以外のコーナ部の場合は前記２−コーナ処理部で画素値変換を行うようにされ、
前記２−コーナ処理部は、注目画素に対してコントラストをなして隣接する他の領域内の所定の画素を参照して前記注目画素の画素値を決定する機能を有し、
前記４−コーナ処理部は、前記４コーナから前記所与の拡大倍率に応じた分だけ離間した部分に位置された前記２コーナ中の前記凸状のコーナ点を参照し、前記４コーナを構成するよう市松模様状に接し合った４個のコーナ点のうち、参照された前記２コーナ中の前記凸状のコーナ点と同色のものについてはこれを同色のまま維持する一方、参照された前記２コーナ中の前記凸状のコーナ点に対してコントラストをなす色のものについては前記参照された前記２コーナ中の前記凸状のコーナ点の画素値を参照して画素値を決定する機能を有することを特徴とする画像調整装置。
【請求項２】
請求項１に記載の画像調整装置であって、
前記第二画像拡大処理部は最近隣内挿法により画像拡大時の画素内挿処理を行うことを特徴とする画像調整装置。
【請求項３】
請求項２に記載の画像調整装置であって、
前記第一画像拡大処理部は、共１次内挿法または３次たたみ込み内挿法により画像拡大時の画素内挿処理を行うようにされ、
前記第二画像拡大処理部での画素内挿処理及び前記エッジ平滑処理部でのエッジ部の平滑化処理からなる一連の処理と、前記第一画像拡大処理部での画素内挿処理とは同時並行して行われることを特徴とする画像調整装置。
【発明の詳細な説明】
【０００１】
【発明の属する技術分野】
この発明は、写真やイラスト等の階調を有する有階調画像と、文字、記号または罫線等の二値画像とが混在するディジタル画像を拡大する機能を有する画像調整装置に関する。
【０００２】
【従来の技術】
スキャンコンバータやフォトレタッチ等の画像編集装置等のように、ディジタル画像の解像度を増大して画像の拡大または縮小を行う機能を有した画像調整装置がある。かかる画像調整装置においてディジタル画像の解像度を増大する場合、拡大率に応じて画素の補間（内挿）を行う必要があり、そのための手法がいくつか知られている。
【０００３】
例えば、最近隣内挿法（Ｎｅａｒｅｓｔ  Ｎｅｉｇｈｂｏｒ  Ｉｎｔｅｒｐｏｌａｔｉｏｎ）は、その手法のひとつである。この最近隣内挿法では、近隣の画素をそのまま内挿データとして採用することで、オリジナルな画像データを壊すことなく内挿を行うものである。具体的には、図２５の如く、内挿したい点の画像座標を（ｕ，ｖ）、内挿したい画像データをＰ、画素番号をｉ、ライン番号をｊ、ライン番号ｊの観測点の画像データをＰｉｊとし、例えば実数ｘをこえない最大の整数をガウス記号［ｘ］で表すこととすると、内挿したい画像データＰは次の（１）式のように決定される。尚、図２５において、黒丸印は内挿したい点、白丸印は観測点（オリジナルな画素）をそれぞれ示している。
【０００４】
【数１】
0004031584.tif 000002
【０００５】
即ち、最近隣内挿法は、最も近いオリジナルな画素を１点だけ選び、このオリジナルな画素をもって内挿したい画素を代替するものであり、アルゴリズムが比較的簡単であり、画像調整装置として高スペックなものを必要としないという利点がある。また、画像のエッジ部が明確な状態を維持して拡大が行われるので、文字、記号または罫線等の簡単な二値画像の解像度の変更に利用されることがあった。しかしながら、画像の拡大時に斜線部等がギザギザになるといったジャギー現象が出る等、拡大に伴う画質劣化の欠点があり、近年の画像調整技術の高度化及び画像調整装置の高スペック化等に伴い、スキャンコンバータやフォトレタッチ等の分野においては徐々に使用されなくなりつつあり、回路が限定されていたり非常に高速処理が求められる場合に、画質の劣化防止が要求されない限られた分野で限定的に適用されるにすぎなくなっている。
【０００６】
また、他の内挿方法として、共１次内挿法（Ｂｉｌｉｎｅａｒ  Ｉｎｔｅｒｐｏｌａｔｉｏｎ）がある。この共１次内挿法は、図２５の如く、求める画像データとして、内挿したい点の周囲の４個の観測点（オリジナルな画素）を用いて、次の（２）式のように内挿点の成分が決定される。
【０００７】
【数２】
0004031584.tif 000003
【０００８】
この共１次内挿法では、オリジナルな画像データが破壊される欠点があるものの、画像の階調平均化のためにスムージング効果が出る利点があり、特に写真やイラスト等の階調を有する有階調画像の拡大編集等に適している。
【０００９】
さらに他の内挿方法として、３次たたみ込み内挿法（Ｂｉｃｕｂｉｃ  Ｉｎｔｅｒｐｏｌａｔｉｏｎ）がある。この３次たたみ込み内挿法は、図２６の如く、内挿したい点の周囲の１６個の観測点（オリジナルな画素）の画像データを用いて、次の（３）式のように内挿点の成分が決定される。尚、図２６において、黒丸印は内挿したい点、白丸印は観測点（オリジナルな画素）をそれぞれ示している。
【００１０】
【数３】
0004031584.tif 000004
【００１１】
この３次たたみ込み内挿法は、オリジナルな画像データが破壊される欠点があり、また処理が複雑で演算に若干の時間を要するものの、画像の階調平均化と同時に鮮鋭化の効果が出る利点があり、共１次内挿法よりもさらに画質の向上を図ることができる。この３次たたみ込み内挿法は主として写真やイラスト等の階調を有する有階調画像の拡大編集等に使用される。
【００１２】
そして、近年の画像調整技術の高度化及び画像調整装置の高スペック化等に伴って、スキャンコンバータやフォトレタッチ等の分野においては、共１次内挿法または３次たたみ込み内挿法が使用されることが殆どである。
【００１３】
ここで、図２７は従来の画像調整装置の概略を示すブロック図である。図２７のように、従来の画像調整装置は、元画像１を、共１次内挿法（Ｂｉｌｉｎｅａｒ  Ｉｎｔｅｒｐｏｌａｔｉｏｎ）または３次たたみ込み内挿法（Ｂｉｃｕｂｉｃ  Ｉｎｔｅｒｐｏｌａｔｉｏｎ）にて内挿処理するＢｉｌｉｎｅａｒ／Ｂｉｃｕｂｉｃラインメモリ２に一旦格納し、ここで上記各処理を行った後、拡大画像３を得るようになっている。
【００１４】
【発明が解決しようとする課題】
上記の共１次内挿法や３次たたみ込み内挿法は、画像の拡大時に階調の平均化処理を行っているため、文字、記号または罫線等の簡単な二値画像の拡大時においては、エッジ部が滲んだようになることが多い。したがって、写真やイラスト等の階調を有する有階調画像と、文字、記号または罫線等の二値画像とが混在するようなディジタル画像の場合、これらを同じ内挿法（共１次内挿法または３次たたみ込み内挿法）で拡大した場合に、二値画像のエッジが周囲の有階調画像に溶け込んでしまい、これを眼にした場合にかえって不自然に感じることがあった。
【００１５】
したがって、有階調画像については上記共１次内挿法または３次たたみ込み内挿法を適用して画像拡大処理を行うとともに、併せて二値画像については別の方法で画像拡大処理を行って、エッジの鮮鋭度を維持することが望まれていた。
【００１６】
そこで、この発明の課題は、特に有階調画像と二値画像とが混在している場合に、有階調画像については共１次内挿法または３次たたみ込み内挿法により滑らかな画像拡大処理を行うとともに、二値画像についてはエッジの鮮鋭度を維持して画像拡大処理を行うことのできる画像調整装置を提供することにある。
【００１７】
【課題を解決するための手段】
上記課題を解決すべく、請求項１に記載の発明は、任意の元画像を所与の拡大倍率に画像拡大処理する画像調整装置であって、元画像の各注目画素の周辺画素を参照して画素値を平均化させて画素の内挿を行い画像拡大処理を行う第一画像拡大処理部と、前記元画像の各注目画素の最近隣の画素をそのまま参照して画像拡大処理を行う第二画像拡大処理部と、前記第二画像拡大処理部で得られた拡大画像に対して、当該拡大画像中の絵柄のうち縦方向と横方向の両方のエッジ部が重なる部分としてコーナ部を検出し、当該コーナ部をジャギーとして除去してエッジ部の平滑化処理を行うエッジ平滑処理部と、前記エッジ部及び当該エッジ部の周辺については前記エッジ平滑処理部からの拡大画像を、それ以外の画像部分については前記第一画像拡大処理部で得られた拡大画像を選択的に切り替えて合成し、かかる合成により最終的な拡大画像を得る切替部とを備え、前記エッジ平滑処理部は、縦方向及び横方向のそれぞれについて注目画素をシフトさせながらそれぞれの方向の画素値の差分を求めてエッジ部の検出を行うエッジ検出部と、前記エッジ検出部で検出された縦方向と横方向の両方のエッジ部が重なる部分としてコーナ部を検出するコーナ部検出部と、前記コーナ部検出部で検出されたコーナ部をジャギーとして画素値変換を行いエッジ部の平滑化処理を行う画素値変換部とを備え、前記画素値変換部は、互いにコントラストをなす２つの領域同士がそれぞれ１個の凸状のコーナ点と１個の凹状のコーナ点とを有して接し合うよう形成された２コーナの画素値変換を行う２−コーナ処理部と、互いにコントラストをなす２つの領域同士がそれぞれ２個ずつの凸状のコーナ点を有して市松模様状に接し合うよう形成された４コーナの画素値変換を行う４−コーナ処理部とを備え、前記コーナ部検出部で検出されたコーナ部の画素値変換時に、前記４コーナの場合は前記４−コーナ処理部で画素値変換を行う一方、それ以外のコーナ部の場合は前記２−コーナ処理部で画素値変換を行うようにされ、前記２−コーナ処理部は、注目画素に対してコントラストをなして隣接する他の領域内の所定の画素を参照して前記注目画素の画素値を決定する機能を有し、前記４−コーナ処理部は、前記４コーナから前記所与の拡大倍率に応じた分だけ離間した部分に位置された前記２コーナ中の前記凸状のコーナ点を参照し、前記４コーナを構成するよう市松模様状に接し合った４個のコーナ点のうち、参照された前記２コーナ中の前記凸状のコーナ点と同色のものについてはこれを同色のまま維持する一方、参照された前記２コーナ中の前記凸状のコーナ点に対してコントラストをなす色のものについては前記参照された前記２コーナ中の前記凸状のコーナ点の画素値を参照して画素値を決定する機能を有することを特徴とする。
【００２０】
請求項２に記載の発明は、前記第二画像拡大処理部が最近隣内挿法により画像拡大時の画素内挿処理を行うものである。
【００２１】
請求項３に記載の発明は、前記第一画像拡大処理部が、共１次内挿法または３次たたみ込み内挿法により画像拡大時の画素内挿処理を行うようにされ、前記第二画像拡大処理部での画素内挿処理及び前記エッジ平滑処理部でのエッジ部の平滑化処理からなる一連の処理と、前記第一画像拡大処理部での画素内挿処理とが同時並行して行われるものである。
【００２２】
【発明の実施の形態】
＜構成＞
図１はこの発明の一の実施の形態に係る画像調整装置を示すブロック図である。この画像調整装置は、図１の如く、ディジタル画像をスキャンコンバータやフォトレタッチ装置等で画像を拡大する時に使用されるもので、元画像（オリジナルな画像）１０を拡大する際に、この元画像１０を２個の画像拡大処理部（第一画像拡大処理部１１及び第二画像拡大処理部１２）に同時に入力するようになっており、特に、第一画像拡大処理部１１では、「共１次内挿法」または「３次たたみ込み内挿法」で画素の内挿を行って画像拡大処理を行う一方、第二画像拡大処理部１２では、「最近隣内挿法」で画像拡大処理を行った後、さらに第二画像拡大処理部１２からの出力データについてエッジ平滑処理部１３でジャギー除去を行ってエッジ部の平滑化処理を行うこととし、これらの各処理の後工程で、切替部１４において、二値画像のエッジ部についてはエッジ平滑処理部１３からの画像データを、それ以外の画像部分については第一画像拡大処理部１１からの画像データを選択的に切り替えるようにして合成し、かかる合成により最終的な拡大画像１５を得るものである。
【００２３】
尚、以下の処理について、画像または画素という場合には、これらがＲ，Ｇ，Ｂの３つの成分値を有していることを前提にしている。そして、「白色」という場合には、これらの成分値の全てが最大である一方、「黒色」という場合にはこれらの成分値の全てがゼロであることをいう。この場合、以下に説明する全ての処理について、これらの成分値を別々に演算処理を行ってもよいが、後述のエッジ検出処理やコーナ部検出処理等の検出判断時には、処理の高速化及び単純化を目的として、各成分値の単純合計値または一定の重み付けを行った後の合計値をもって検出処理に供するようにしてもよい。
【００２４】
第一画像拡大処理部１１は、得られた元画像１０の複数行分のラインデータを、内蔵された複数のラインバッファにそれぞれ取り込み、このラインバッファ内の画像データを上述の（２）式（共１次内挿法）または（３）式（３次たたみ込み内挿法）に基づいて画素を内挿しながら拡大処理を行うようになっている。かかる画像拡大処理は、ＲＯＭおよびＲＡＭ等が接続された一般的なＣＰＵ内において所定のソフトウェアプログラムによって行われるようにしてもよいし、あるいは、スキャンコンバータ等においてハードウェアとして作り込まれた論理回路によって実現されるものであってもよく、若しくはソフトウェアプログラム及びハードウェアとしての論理回路の組み合わせにより実現されるものであってもよい。
【００２５】
第二画像拡大処理部１２は、得られた元画像１０の複数行分のラインデータを、内蔵された複数のラインバッファにそれぞれ取り込み、このラインバッファ内の画像データを上述の（１）式（最近隣内挿法）に基づいて画素を内挿しながら拡大処理を行うようになっている。かかる画像拡大処理は、ＲＯＭおよびＲＡＭ等が接続された一般的なＣＰＵ内において所定のソフトウェアプログラムによって行われるようにしてもよいし、あるいは、スキャンコンバータ等においてハードウェアとして作り込まれた論理回路によって実現されるものであってもよく、若しくはソフトウェアプログラム及びハードウェアとしての論理回路の組み合わせにより実現されるものであってもよい。尚、この第二画像拡大処理部１２での画像拡大処理は、第一画像拡大処理部１１での画像拡大処理と同期して実行される。ただし、この第二画像拡大処理部１２での画像拡大処理は比較的短時間で処理が完了する最近隣内挿法に従って行われるため、第一画像拡大処理部１１での画像拡大処理より早く完了されることになる。
【００２６】
ここで、拡大したい倍率ｍは、所与の値として予め決定づけられているものとする。即ち、スキャンコンバータに適用する場合は、元画像１０の解像度に対する出力画像の解像度の増大率として、またフォトレタッチ装置においては、操作者のキーボード入力等により任意に与えられた拡大率として倍率ｍが決定づけられる。図２は元画像の例、図３は図２に示した元画像を３（＝ｍ）倍に拡大した拡大画像をそれぞれ示している。ここで、数「１」の画素は例えば白色、数「０」の画素は例えば黒色を示している。ただし、図２、図３及びこれ以降の図では、黒色の領域については、図示の明確性を考慮して白抜き表示をすることとする。
【００２７】
エッジ平滑処理部１３は、第二画像拡大処理部１２で得られた拡大画像のうち縦方向及び横方向のそれぞれのエッジ部を検出するエッジ検出部２１と、エッジ検出部２１で検出された縦方向及び横方向のそれぞれのエッジ部からコーナ部分を検出するコーナ部検出部２２と、このコーナ部検出部２２で検出されたコーナの画素に基づいて画素値を変換する画素値変換部２３と、エッジ検出部２１でエッジ部の検出結果を切替部１４に伝達するエッジ報知部２４とを備えている。
【００２８】
エッジ検出部２１は、拡大画像において２次差分を行ってエッジ抽出を行うフィルタであって、縦方向及び横方向のそれぞれについて画素を１個ずつシフトしていき、フィルタのインパルス応答特性（即ち、インパルスを入力した場合にフィルタからどんな信号が出力されるかを示す特性）を表す（４）式に基づいて、各注目画素Ｚとこれに対するシフト方向の両隣の画素との画素値の差分Ｈ（Ｚ）を求めてマッピングするものである。
【００２９】
【数４】
0004031584.tif 000005
【００３０】
ここで、（４）式は、Ｚ変換を用いたたたみ込み演算式であって、元の情報源に対して拡大情報源となる新たなシンボルをＺのべき乗で表すこととし、このべき乗の数値が注目画素Ｚに対するインパルス番号を表している。具体的には、（４）式中のＺ+1は注目画素Ｚに対してシフト方向の進行方向側に隣接する画素の画素値、Ｚ-1は注目画素Ｚに対してシフト方向の後退方向側に隣接する画素の画素値をそれぞれ示している。また、（４）式中の数「２」は実際には注目画素Ｚの画素値Ｚ0が積算される係数であるが、この注目画素Ｚの画素値Ｚ0は省略して表記している。この（４）式を整数演算に修正したものが次の（５）式である。
【００３１】
【数５】
0004031584.tif 000006
【００３２】
ここで、ｉは横方向の画素番号、ｊは縦方向の画素番号、Ｐｉｊは横方向にｉ番目で縦方向にｊ番目の注目画素の画素値、Ｈｙ（Ｐｉｊ）は注目画素の縦方向シフトの場合の２次差分値、Ｐｉj+1は注目画素に対して縦方向にシフトする際の進行方向側に隣接する画素の画素値、Ｐｉj-1は注目画素に対して縦方向にシフトする際の後退方向側に隣接する画素の画素値、Ｈｘ（Ｐｉｊ）は注目画素の横方向シフトの場合の２次差分値、Ｐi+1ｊは注目画素に対して横方向にシフトする際の進行方向側に隣接する画素の画素値、Ｐi-1ｊは注目画素に対して横方向にシフトする際の後退方向側に隣接する画素の画素値をそれぞれ示している。尚、ここでは、２次差分によりエッジ抽出を行っているが、例えば高域強調のフィルタであれば他の方式を採用しても差し支えない。
【００３３】
また、図４は図３に示した拡大画像の縦方向シフトによる各画素毎の差分値、図５は同拡大画像の横方向シフトによる各画素毎の差分値をそれぞれ示した図である。このように、各シフト方向から見てエッジの両隣の画素のみが差分値として「１」または「−１」の値を示し、それ以外の画素は差分値として「０」の値を示すことになる。尚、差分値「１」はエッジの白領域側、差分値「−１」はエッジの黒領域側を示している。
【００３４】
コーナ部検出部２２は、図４に示したような縦方向シフトによる各画素毎の差分値と、図５に示したような横方向シフトによる各画素毎の差分値とを比較する比較回路であり、両者の差分値が一致している点をコーナ点として認識するようになっている。ここで、図６は、図４及び図５に示した３倍画像のコーナ点を検出した図であり、図６中の黒丸部分は、このコーナ部検出部２２で検出されたコーナ点を示している。具体的には、コーナ点の検出は、次の（６）式の論理条件を満たしているかどうかで判断し、満たしている場合はコーナ点であると判断する一方、満たしていない場合はコーナ点でないと判断する。尚、変数Ｄｘは横方向にシフトしてエッジ検出を行った際の差分値、変数Ｄｙは縦方向にシフトしてエッジ検出を行った際の差分値をそれぞれ示している。
【００３５】
【数６】
0004031584.tif 000007
【００３６】
画素値変換部２３は、コーナ部検出部２２で検出したコーナ点の画素値について、これを他の画素の画素値を参照して変更するものであり、コーナ点の態様及び拡大倍率ｍによって変換処理を変更するようになっている。
【００３７】
具体的に、図７のように黒色領域Ｒｂ及び白色領域Ｒｗの一方が凸状のコーナ点（図７では黒色領域Ｒｂにおける凸状のコーナ点（黒丸印））を形成しており、且つ、これに対してコントラスト（色彩対照）となる黒色領域Ｒｂ及び白色領域Ｒｗの他方が凹状のコーナ点（図７では白色領域Ｒｗにおける凹状のコーナ点（白丸印））を形成している場合には、凸状のコーナ点と凹状のコーナ点とが接しているという意味で「２コーナ」ということとし、また、図８のように黒色領域Ｒｂと白色領域Ｒｗとがそれぞれコントラストとなって市松模様を形成するような場合に、その交点では凸状の４つのコーナ点（図８中の×印）が形成されるという意味で「４コーナ」ということとすると、コーナ点の態様としては、これらの「２コーナ」と「４コーナ」の２つの態様がある。そして、特に細線の拡大画像において生じやすい４コーナについては、これを２コーナの内挿処理と同様に行うこととすると画像が不自然になるおそれがある。したがって、このような４コーナの処理において画像が不自然になるのを防止するため、コーナ部検出部２２で検出されたコーナ点がこの２つの態様のいずれであるかを判断し、「２コーナ」の場合は２−コーナ処理部２３ａで処理を行う一方、「４コーナ」の場合は４−コーナ処理部２３ｂで処理を行うこととし、各態様によって異なった処理を行うようになっている。
【００３８】
ここで、コーナ部検出部２２で検出されたコーナ点が「２コーナ」であるか「４コーナ」であるかは、次のように判断する。即ち、上述の（６）式及び次の（７）式の論理条件を両方とも満たしている場合には「４コーナ」、（６）式のみ満たしており、（７）式を満たしていない場合は「２コーナ」と判断するようにする。尚、（７）式中の変数Pixel（i,j）は座標（ｉ，ｊ）における画素についての（６）式の適合結果を示すフラグであり、各画素が（６）式に適合している場合はPixel（i,j）＝１、適合していない場合はPixel（i,j）＝０となるものである。
【００３９】
【数７】
0004031584.tif 000008
【００４０】
また、各コーナ処理部２３ａ，２３ｂでは、拡大倍率ｍによって、画素値変換の参照先の画素を代えて変換処理を行うようになっている。
【００４１】
具体的には、２−コーナ処理部２３ａでは、拡大倍率ｍが３倍の場合は、図６のように、各コーナ点（図６中の黒丸部分）について、これに対しコントラストを形成する隣接領域内の縦横それぞれに隣接する２点（図６中の白丸部分）の画素値を参照し、これらの平均値を演算してコーナ点に格納するようにしている。かかる処理の結果形成された画像は図９のようになる。この図９のように、ジャギーとなって現れていた図６中のコーナ点（黒丸部分）が消失されて、滑らかな斜線状の境界線が現れることになる。
【００４２】
また、２−コーナ処理部２３ａにおいて、拡大倍率ｍが２倍の場合は、コントラストを形成する２つの領域の一方のコーナ点のみを画素値変換し、他方のコーナ点の画素値変換は行わないようにする。例えば、図１０の例では、階段形状の図形領域とその外側の領域とでコントラストを形成している場合に、外側の領域における凸状のコーナ点（図１０中の符号Ｐ）のみを変換対照とし、階段形状の図形領域（図１０中の符号Ｎ）では変換処理を行わないようにしている。尚、図１０中の符号Ｐは、２−コーナ処理部２３ａにおいて２次差分の値が正のもの、符号Ｎは２−コーナ処理部２３ａにおいて２次差分の値が負のものとして抽出されるものである。かかる変換処理の結果を図１１に示す。この図１１のように、ジャギーとなって現れていた図１０中のコーナ点（Ｐ，Ｎ）が消失されて、滑らかな斜線状の境界線が現れることになる。尚、図１０のようにジャギーが現れた状態において、いずれの領域のコーナ点（Ｐ，Ｎ）を変換対照とするかは、ソフトウェアプログラムまたはハードウェアとして作り込まれた論理回路によって予め決定されている。したがって、その仕様によっては、階段形状の図形領域のコーナ点（図１０中の符号Ｎ）のみを変換対照とするよう統一処理し、外側の領域における凸状のコーナ点（図１０中の符号Ｐ）では変換処理を行わないように統一してもよい。
【００４３】
さらに、２−コーナ処理部２３ａにおいて、拡大倍率ｍが４倍以上の場合は、図１２の如く、コントラストを形成する２つの領域について、コーナ点から横方向にそれぞれ次の（８）式及び（９）式で定義されるＬｎ及びＬｐだけ相反対方向に推移した点までジャギーとしてのコーナ部分を消失するよう、両領域の境界が平滑な斜線となるように変換領域（図１２中の斜線ハッチング領域）Ｒｈｋ１〜Ｒｈｋ３を決定する。
【００４４】
【数８】
0004031584.tif 000009
【００４５】
【数９】
0004031584.tif 000010
【００４６】
尚、（８）式及び（９）式における［］はガウス記号を示している。
【００４７】
そして、各変換領域Ｒｈｋ１〜Ｒｈｋ３において、その変換領域Ｒｈｋ１〜Ｒｈｋ３内のコーナ点（図１２中の黒丸部分）に対しコントラストを形成する隣接領域内の縦横それぞれに隣接する２点（図１２中の白丸部分）の画素値を参照し、これらの平均値を演算して各変換領域Ｒｈｋ１〜Ｒｈｋ３の全ての画素値を埋め込むようにしている。かかる処理の結果形成された画像は図１３のようになる。この図１３のように、ジャギーとなって現れていた図１２中の領域（変換領域Ｒｈｋ１〜Ｒｈｋ３）が消失されて、滑らかな斜線状の境界線が現れることになる。
【００４８】
これに対し、図１４に示したような右下がりの斜線を拡大する場合は、図１５、図１８及び図２０のように４コーナが生じることになるが、これらの変換処理も、２−コーナ処理部２３ａの場合と同様に、拡大倍率ｍの相違によって処理を変更して実行する。
【００４９】
例えば、図１４に示した右下がりの斜線を拡大倍率ｍ＝３倍で拡大した場合、図１５のような４コーナが生じることになる。この場合、４コーナの各画素うち左上側に位置する１個の画素Ｐｔ１については、上方向と左方向にそれぞれ２ピクセルだけずれた位置の２個の画素Ｐｔ２，Ｐｔ３の画素値の平均値を格納する。尚、この場合において、画素Ｐｔ１の画素値と画素Ｐｔ２，Ｐｔ３の画素値とが同一の場合は変化がないことになる。また、４コーナの各画素うち右上側に位置する１個の画素Ｐｔ４については、前述の画素Ｐｔ２（即ち上方向に２ピクセル、左方向に１ピクセルだけずれた位置の画素）と、下方向に１ピクセル、右方向に２ピクセルだけずれた位置の画素Ｐｔ５の画素値の平均値を格納する。さらに、４コーナの各画素うち左下側に位置する１個の画素Ｐｔ６については、前述の画素Ｐｔ３（即ち縦方向に１ピクセル、横方向に２ピクセルだけずれた位置の画素）と、下方向に２ピクセル、右方向に１ピクセルだけずれた位置の画素Ｐｔ７の画素値の平均値を格納する。さらにまた、４コーナの各画素うち右下側に位置する１個の画素Ｐｔ８については、下方向と右方向にそれぞれ２ピクセルだけずれた位置の２個の画素Ｐｔ５，Ｐｔ７の画素値の平均値を格納する。尚、この場合において、画素Ｐｔ８の画素値と画素Ｐｔ５，Ｐｔ７の画素値とが同一の場合は変化がないことになる。これと同時に、２コーナ（図１５中の白丸部分）については、図６で示した変換処理と同様にして、各コーナ点について、これに対しコントラストを形成する隣接領域内の縦横それぞれに隣接する２点の画素値を参照し、これらの平均値を演算してコーナ点に格納するようにする。かかる処理の結果によって形成された画像は図１６のようになる。この図１６のように、ジャギーとなって現れていた図１５中のコーナ点（白丸部分）が消失されるとともに、４コーナ部分が一定の幅をもって形成されることになり、よってほぼ一定幅の滑らかな右下がりの斜線が現れることになる。ただし、かかる処理は、右下がりの斜線についてのジャギー除去処理の場合であって、図１７のように左下がりの斜線についてのジャギー除去処理に当たっては、上記処理に対して左右方向が逆の変換処理を行う。
【００５０】
また、図１４に示した右下がりの斜線を、図１８のように拡大倍率ｍ＝２倍で拡大した場合も、上記と同様に４コーナが生じることになる（図１８中の×印）。この場合、４コーナの各画素うち左上側に位置する１個の画素Ｐｕ１については、上方向と左方向にそれぞれ１ピクセルだけずれた位置の２個の画素Ｐｕ２，Ｐｕ３の画素値の平均値を格納する。尚、この場合において、画素Ｐｕ１の画素値と画素Ｐｕ２，Ｐｕ３の画素値とが同一の場合は変化がないことになる。また、４コーナの各画素うち右上側に位置する１個の画素Ｐｕ４については、前述の画素Ｐｕ２（即ち上方向に１ピクセル、左方向に１ピクセルだけずれた位置の画素）と、下方向に１ピクセル、右方向に１ピクセルだけずれた位置の画素Ｐｕ５の画素値の平均値を格納する。さらに、４コーナの各画素うち左下側に位置する１個の画素Ｐｕ６については、前述の画素Ｐｕ３（即ち縦方向に１ピクセル、横方向に１ピクセルだけずれた位置の画素）と、下方向に１ピクセル、右方向に１ピクセルだけずれた位置の画素Ｐｕ７の画素値の平均値を格納する。さらにまた、４コーナの各画素うち右下側に位置する１個の画素Ｐｕ８については、下方向と右方向にそれぞれ１ピクセルだけずれた位置の２個の画素Ｐｕ５，Ｐｕ７の画素値の平均値を格納する。尚、この場合において、画素Ｐｕ８の画素値と画素Ｐｕ５，Ｐｕ７の画素値とが同一の場合は変化がないことになる。これと同時に、２コーナ（図１８中の白丸部分）については、変換処理を行わずにそのままの画素値を維持するようにする。かかる処理の結果によって形成された画像は図１９のようになる。この図１９のように、ジャギーとなって現れていた図１８中の４コーナ部分が一定の幅をもって形成されることになり、よってほぼ一定幅の滑らかな右下がりの斜線が現れることになる。尚、左下がりの斜線についてのジャギー除去処理に当たっては、上記処理に対して左右方向が逆の変換処理を行えばよい。
【００５１】
さらに、図１４に示した右下がりの斜線を、図２０のように拡大倍率ｍ＝４倍以上（図２０の例では拡大倍率ｍ＝６倍）で拡大した場合も、上記と同様に４コーナが生じることになる（図２０中の×印）。この場合、コントラストを形成する２つの領域について、コーナ点から横方向にそれぞれ上述の（８）式及び（９）式で定義されるＬｎ及びＬｐだけ相反対方向に推移した点までジャギーとしてのコーナ部分を消失するよう、両領域の境界が平滑な斜線となるように変換領域（図２０中の斜線ハッチング領域）Ｒｈｌ１〜Ｒｈｌ１０を決定する。また、変換領域の決定は、Ｌｎ及びＬｐを用いてなされる。図２０にのおいては、例えば、「｜（Ｐｖ２＋Ｐｖ１）／２−Ｐｖ１｜＜０．１」のような場合には、変換される前と後とでの色の変化が小さいことになるため、このときには変換を行わないようにする。他の拡大率のときも同様である。
【００５２】
そして、４コーナの各画素うち左上側に位置する１個の画素Ｐｖ１については、変換領域に該当していないため、当該画素Ｐｖ１のみの変換を行う。即ち、当該画素Ｐｖ１に対して上方向と左方向にそれぞれ（ｍ−１）ピクセルだけずれた位置の２個の画素Ｐｖ２，Ｐｖ３の画素値の平均値を格納する。尚、この場合において、画素Ｐｖ１の画素値と画素Ｐｖ２，Ｐｖ３の画素値とが同一の場合は変化がないことになる。また、４コーナの各画素うち右上側に位置する１個の画素Ｐｖ４を含む変換領域Ｒｈｌ３については、前述の画素Ｐｖ２（即ち上方向に（ｍ−１）ピクセル、左方向に１ピクセルだけずれた位置の画素）と、下方向に１ピクセル、右方向に（ｍ−１）ピクセルだけずれた位置の画素Ｐｖ５の画素値の平均値を格納する。さらに、４コーナの各画素うち左下側に位置する１個の画素Ｐｖ６を含む変換領域Ｒｈｌ４については、前述の画素Ｐｖ３（即ち上方向に１ピクセル、左方向に（ｍ−１）ピクセルだけずれた位置の画素）と、下方向に（ｍ−１）ピクセル、右方向に１ピクセルだけずれた位置の画素Ｐｖ７の画素値の平均値を格納する。さらにまた、４コーナの各画素うち右下側に位置する１個の画素Ｐｖ８については、変換領域に該当していないため、当該画素Ｐｖ８のみの変換を行う。即ち、当該画素Ｐｖ８に対して下方向と右方向にそれぞれ（ｍ−１）ピクセルだけずれた位置の２個の画素Ｐｖ５，Ｐｖ７の画素値の平均値を格納する。尚、この場合において、画素Ｐｖ８の画素値と画素Ｐｖ５，Ｐｖ７の画素値とが同一の場合は変化がないことになる。これと同時に、２コーナ（図２０中の白丸部分）を含む変換領域Ｒｈｌ１，Ｒｈｌ２，Ｒｈｌ５，Ｒｈｌ６については、その変換領域Ｒｈｌ１，Ｒｈｌ２，Ｒｈｌ５，Ｒｈｌ６内の各コーナ点（図２０中の白丸部分）Ｐｖ２，Ｐｖ３，Ｐｖ５，Ｐｖ７に対しコントラストを形成する隣接領域内の縦横それぞれに隣接する２点の画素値を参照し、これらの平均値を演算して各変換領域Ｒｈｌ１，Ｒｈｌ２，Ｒｈｌ５，Ｒｈｌ６内の全ての画素値を埋め込むようにしている。かかる処理の結果形成された画像は図２１のようになる。この図２１のように、ジャギーとなって現れていた図２１中の斜線ハッチング領域（変換領域Ｒｈｌ１〜Ｒｈｌ１０）が消失されて、滑らかな斜線状の境界線（図２１中の太線）が現れることになる。
【００５３】
尚、このような画素値変換部２３の処理機能において、これまでの説明では白色と黒色とのコントラストの画像を例にあげて説明しているが、実際には緑色と赤色や、黄色と青色のように様々なコントラストも考えられるため、これらについても同様の処理を行う。また、２つの領域の一方のみが単一色で、他方の領域が有階調画像のような場合も考えられるが、このような状態も単一色の部分とその他の部分とでコントラストを形成しているものとして処理し、一方の領域のコーナ点の処理は、これに隣接する他方の領域の隣接２点が有階調画像であるかどうかを問わず、この２点の画素値の平均値を当てはめるようにする。
【００５４】
エッジ報知部２４は、例えば図４及び図５のようなエッジ検出部２１でのエッジ部の検出結果をそのまま切替部１４に送出する。
【００５５】
切替部１４は、第一画像拡大処理部１１で内挿処理された拡大画像と、第二画像拡大処理部１２で内挿処理されてエッジ平滑処理部１３でジャギー除去がなされた拡大画像とを切替ながら混在させて画像合成するものである。即ち、第一画像拡大処理部１１では、２）式（共１次内挿法）または（３）式（３次たたみ込み内挿法）に基づいた画素の内挿処理を行うため、例えば図２２中の白丸印の領域幅程度にぼかし処理（画像の階調平均化のためのスムージング効果）が行われるが、単純にエッジ検出のゼロの領域に対して第一画像拡大処理部１１での内挿処理を行うと、かかる内挿処理の周辺にまでぼかし処理を行ってしまい、このぼかし処理が文字や記号等の二値画像に被さると、これらの二値画像のエッジが判別しにくくなって好ましくなくなってしまう。したがって、エッジ部より少し外側の部分にまで最近隣内挿法及びジャギー除去処理を適用する領域を拡大することとし、図２３のように、第一画像拡大処理部１１から逐一送信されてくる画像領域ＴＮが図２３中のエッジ部（白丸印）に掛かる場合には、この画像領域ＴＮについては第一画像拡大処理部１１で内挿処理された拡大画像を採用せずに、第二画像拡大処理部１２で内挿処理されてエッジ平滑処理部１３でジャギー除去がなされた拡大画像を採用するように切替処理を行う。尚、第一画像拡大処理部１１から逐一送信されてくる画像領域ＴＮは、縦方向及び横方向に１ピクセルずつシフトしていき、全体の画像中の全ての領域について上記の切替処理を行うようになっている。
【００５６】
＜動作＞
上記構成の画像調整装置の動作を図２４のフローチャートに沿って説明する。まず、ステップＳ０１において、第一画像拡大処理部１１により、共１次内挿法（Ｂｉｌｉｎｅａｒ  Ｉｎｔｅｒｐｏｌａｔｉｏｎ）または３次たたみ込み内挿法（Ｂｉｃｕｂｉｃ  Ｉｎｔｅｒｐｏｌａｔｉｏｎ）に従った画素内挿処理を行って所与の拡大倍率ｍで元画像１０の拡大処理を行う。
【００５７】
また、これと並行して、ステップＳ０２において、第二画像拡大処理部１２により、最近隣内挿法（Ｎｅａｒｅｓｔ  Ｎｅｉｇｈｂｏｒ  Ｉｎｔｅｒｐｏｌａｔｉｏｎ）に従った画素内挿処理を行って所与の拡大倍率ｍで元画像１０の拡大処理を行う。
【００５８】
ここで、同一の元画像１０について、最近隣内挿法の画像内挿処理と、共１次内挿法または３次たたみ込み内挿法の画像内挿処理とをほぼ同時に開始した場合、最近隣内挿法による処理の方が共１次内挿法または３次たたみ込み内挿法による処理よりも処理の完了が早く済む。したがって、第一画像拡大処理部１１で共１次内挿法または３次たたみ込み内挿法の画像内挿処理を実行している途中に、最近隣内挿法による内挿処理が行われた拡大画像が第二画像拡大処理部１２からエッジ平滑処理部１３に送出され、引き続きエッジ平滑処理部１３でのジャギー除去が行われる（ステップＳ０３〜Ｓ８）。
【００５９】
ステップＳ０３では、エッジ平滑処理部１３のエッジ検出部２１により、拡大画像において２次差分を行ってエッジ抽出を行う。具体的には、上述の（４）式及び（５）式に基づいて、各注目画素Ｚとこれに対するシフト方向の両隣の画素との画素値の差分Ｈ（Ｚ）を求めてマッピングする。
【００６０】
次に、ステップＳ０４において、コーナ部検出部２２により、縦方向シフトによる各画素毎の差分値と、横方向シフトによる各画素毎の差分値とを比較し、上述の（６）式の論理条件を満たしているかどうかを判断し、この判断結果に基づいて両者の差分値が一致している点をコーナ点として認識する。
【００６１】
そして、ステップＳ０５において、画素値変換部２３により、コーナ部検出部２２で検出したコーナ点が「４コーナ」であるか「２コーナ」であるかを判断する。即ち、上述の（６）式及び（７）式の論理条件を両方とも満たしている場合には「４コーナ」、（６）式のみ満たしており（７）式を満たしていない場合は「２コーナ」と判断するようにする。そして、「４コーナ」であると判断された場合は、ステップＳ０６に進み、４−コーナ処理部２３ｂにより図１５〜図２１に示した方法で画素値変換を行う。一方、「２コーナ」であると判断された場合は、ステップＳ０７に進み、２−コーナ処理部２３ａにより図６〜図１３に示した方法で画素値変換を行う。これらのステップＳ０６，Ｓ０７での各コーナ処理部２３ａ，２３ｂにおける画素変換処理では、上述のように、拡大倍率ｍによって画素値変換の参照先の画素を代えて変換処理を行う（図６〜図２１）。また、白色と黒色とのコントラストの画像だけでなく、緑色と赤色や、黄色と青色のような様々なコントラストについても同様の処理を行う。さらに、２つの領域の一方のみが単一色で、他方の領域が有階調画像のような場合も考えられるが、このような状態も単一色の部分とその他の部分とでコントラストを形成しているものとして処理し、一方の領域のコーナ点の処理は、これに隣接する他方の領域の隣接２点が有階調画像であるかどうかを問わず、同様の処理を行う。
【００６２】
これらの画素変換処理と並行して、ステップＳ０８において、エッジ報知部２４は、例えば図４及び図５のようなエッジ検出部２１でのエッジ部の検出結果（「エッジ部の拡大」情報）をそのまま切替部１４に送出する。
【００６３】
尚、ステップＳ０２〜Ｓ０８の処理は、従来から行われていたステップＳ０１のみの処理が相対的に長時間の処理になるため、このステップＳ０１の処理に並行して行うことで、全体としてのタスクタイムは、従来のような共１次内挿法または３次たたみ込み内挿法のみの処理に比べてそれほど増大することなく実行され、故に処理スピードを劣化させることなく処理を実行できる。尚、かかる並行処理は、ハードウェアでの回路設計を並行処理が可能なように設定している場合であり、ソフトウェアでの処理においては時間差的に処理を行うようにする。
【００６４】
ステップＳ０９においては、切替部１４は、エッジ報知部２４から得られた「エッジ部の拡大」情報に従って、第一画像拡大処理部１１で内挿処理された拡大画像（Ｂｉｌｉｎｅａｒ／Ｂｉｃｕｂｉｃ）と、第二画像拡大処理部１２で内挿処理されてエッジ平滑処理部１３でジャギー除去がなされた拡大画像（「画素値変換したもの」）とを切替ながら混在させて画像合成する。即ち、図２３のように、第一画像拡大処理部１１から逐一送信されてくる画像領域ＴＮが、縦方向及び横方向に１ピクセルずつシフトするため、かかる画像領域ＴＮが図２３中のエッジ部（白丸印）に掛かる場合に、この画像領域ＴＮについては第一画像拡大処理部１１で内挿処理された拡大画像を採用せずに、第二画像拡大処理部１２で内挿処理されてエッジ平滑処理部１３でジャギー除去がなされた拡大画像を採用するように切替処理を行う。尚、エッジ平滑処理部１３でジャギー除去がなされた拡大画像は、エッジ部及びその周辺に限定し、二値画像の外側でエッジ部から離間した領域や二値画像の内側でエッジ部から離間した領域は、第一画像拡大処理部１１からの拡大画像が採用される。
【００６５】
以上のように、この画像調整装置では、従来一般に画像拡大処理に使用されていた共１次内挿法または３次たたみ込み内挿法と、限定的な用途に適用された特殊な最近隣内挿法を元に画素変換をする方法とを適応的に切り替えることで、文字、記号または罫線等の簡単な二値画像でのぼかし処理（画像の階調平均化のためのスムージング効果）を防止でき、二値画像の画質を向上させることができる。特に、二値画像のエッジ部の周辺にまで最近隣内挿法を拡大することとしているので、エッジ部がぼかし処理によって見にくくなるのを確実に防止することができる。
【００６６】
そして、最近隣内挿法の後にジャギー除去処理を行っているので、画像拡大処理による画質の劣化を防止できる。
【００６７】
このように、この画像調整装置は、画像中に２値画像が混在している場合のディジタル画像の拡大処理一般に有効に適用できるものである。
【００６８】
尚、上記実施の形態では、図１２、図１３、図２０及び図２１のような４倍以上の拡大倍率の場合に、変換領域Ｒｈｋ１〜Ｒｈｋ３，Ｒｈｌ１〜Ｒｈｌ１０の全ての画素に同じ画素値を格納するように説明したが、例えば近隣の画素をシフトさせて参照して画素値が変化するように変換したり、ある特定の複数の画素を参照する際にされらの画素に対する離間ピクセルの短長に応じて重み付け係数を掛け合わせて画素値を特定するなど、画素値の決定の方法はどのような方法を採用してもよい。
【００６９】
【発明の効果】
請求項１に記載の発明によれば、エッジ部が明確に現れた方が視認しやすいような二値画像等による文字、記号または罫線等では、第二画像拡大処理部での画像拡大処理により元画像の各注目画素の最近隣の画素をそのまま参照して内挿することで、かかるエッジ部にぼかし処理（画像の階調平均化のためのスムージング効果）がなされるのを防止できる一方、その他の部分の写真画像ゆイラスト画像等では、画素値を平均化させてぼかし処理を行って自然で滑らかな画像に拡大できる。特に、第二画像拡大処理部での画像拡大処理をエッジ部の周辺にまで拡大することとしているので、エッジ部がぼかし処理によって見にくくなるのを確実に防止することができる。
【００７０】
そして、エッジ平滑処理部によって、第二画像拡大処理部で得られた拡大画像中のコーナ部を検出し、当該コーナ部をジャギーとして除去してエッジ部の平滑化処理を行っているので、第二画像拡大処理部での比較的単純な画像拡大処理による画質の劣化を防止できる。
【００７１】
さらに、一般的な絵柄中の斜線状の境界部分に生じやすい２コーナの画素値変換を２−コーナ処理部で行う一方、これとは別に、斜線状の細線等を拡大したときに生じやすい市松模様状の４コーナの画素値変換を４−コーナ処理部で行うようにしているので、特に細線の拡大画像について画像が不自然になるのを防止できる。
【００７２】
請求項２に記載の発明によれば、特に第二画像拡大処理部において処理速度の比較的速い最近隣内挿法を適用しているので、従来行っていた方法を採用して第一画像拡大処理部での画像拡大処理を行っていた処理手順に対して、最近隣内挿法による第二画像拡大処理部での処理を追加しても、それほど処理効率の低下を招くことがなく、処理速度の低下を可久的に緩和できる。
【００７３】
請求項３に記載の発明によれば、第一画像拡大処理部について共１次内挿法または３次たたみ込み内挿法により画像拡大時の画素内挿処理を行うようにする一方、第二画像拡大処理部において共１次内挿法や３次たたみ込み内挿法より処理速度の速い最近隣内挿法を適用し、これらを同時に並行して行うようにしているので、第二画像拡大処理部での処理が終了しても第一画像拡大処理部が終了することはなく、この第一画像拡大処理部での残りの処理が継続している間に、さらにエッジ平滑処理部での平滑化処理を行うことができ、全体としてのタスクタイムは、従来のような共１次内挿法または３次たたみ込み内挿法のみの処理に比べてそれほど増大することなく実行され、故に処理スピードを劣化させることなく処理を実行できる、という効果がある。
【図面の簡単な説明】
【図１】この発明の一の実施の形態に係る画像調整装置を示すブロック図である。
【図２】元画像の一例を示す図である。
【図３】図２の元画像について拡大倍率３倍で拡大した拡大画像を示す図である。
【図４】図３の拡大画像に対して縦方向にエッジ検出を行った状態を示す図である。
【図５】図３の拡大画像に対して横方向にエッジ検出を行った状態を示す図である。
【図６】図２の元画像に対して拡大倍率を３倍にして拡大した拡大画像についてコーナ部検出及びその画素変換処理を行う動作を示す図である。
【図７】２コーナについての画像変換処理の原理を示す図である。
【図８】４コーナについての画像変換処理の原理を示す図である。
【図９】図２の元画像に対して拡大倍率を３倍にして拡大した拡大画像について画素変換処理を行った後の状態を示す図である。
【図１０】図２の元画像に対して拡大倍率を２倍にして拡大した拡大画像についてコーナ部検出及びその画素変換処理を行う動作を示す図である。
【図１１】図２の元画像に対して拡大倍率を２倍にして拡大した拡大画像について画素変換処理を行った後の状態を示す図である。
【図１２】図２の元画像に対して拡大倍率を６倍にして拡大した拡大画像についてコーナ部検出及びその画素変換処理を行う動作を示す図である。
【図１３】図２の元画像に対して拡大倍率を６倍にして拡大した拡大画像について画素変換処理を行った後の状態を示す図である。
【図１４】元画像としての斜線を示す画像を示す図である。
【図１５】図１４の元画像について拡大倍率３倍で拡大した拡大画像を示す図である。
【図１６】図１４の元画像に対して拡大倍率を３倍にして拡大した拡大画像について画素変換処理を行った後の状態を示す図である。
【図１７】他の元画像について拡大倍率３倍で拡大した拡大画像を示す図である。
【図１８】図１４の元画像について拡大倍率２倍で拡大した拡大画像を示す図である。
【図１９】図１４の元画像に対して拡大倍率を２倍にして拡大した拡大画像について画素変換処理を行った後の状態を示す図である。
【図２０】図１４の元画像について拡大倍率６倍で拡大した拡大画像を示す図である。
【図２１】図１４の元画像に対して拡大倍率を６倍にして拡大した拡大画像について画素変換処理を行った後の状態を示す図である。
【図２２】共１次内挿法または３次たたみ込み内挿法によりぼかし処理が行われる範囲を示す図である。
【図２３】切替部による切替範囲の判断動作を示す図である。
【図２４】この発明の一の実施の形態に係る画像調整装置の動作手順を示すフローチャートである。
【図２５】一般的な最近隣内挿法及び共１次内挿法の動作を示す図である。
【図２６】一般的な３次たたみ込み内挿法の動作を示す図である。
【図２７】従来の画像調整装置の概略を示すブロック図である。
【符号の説明】
１０    元画像
１１    第一画像拡大処理部
１２    第二画像拡大処理部
１３    エッジ平滑処理部
１４    切替部
１５    拡大画像
２１    エッジ検出部
２２    コーナ部検出部
２３    画素値変換部
２３ａ    ２−コーナ処理部
２３ｂ    ４−コーナ処理部
２４    エッジ報知部
【図１】
0004031584.tif 000011
【図２】
0004031584.tif 000012
【図３】
0004031584.tif 000013
【図４】
0004031584.tif 000014
【図５】
0004031584.tif 000015
【図６】
0004031584.tif 000016
【図７】
0004031584.tif 000017
【図８】
0004031584.tif 000018
【図９】
0004031584.tif 000019
【図１０】
0004031584.tif 000020
【図１１】
0004031584.tif 000021
【図１２】
0004031584.tif 000022
【図１３】
0004031584.tif 000023
【図１４】
0004031584.tif 000024
【図１５】
0004031584.tif 000025
【図１６】
0004031584.tif 000026
【図１７】
0004031584.tif 000027
【図１８】
0004031584.tif 000028
【図１９】
0004031584.tif 000029
【図２０】
0004031584.tif 000030
【図２１】
0004031584.tif 000031
【図２２】
0004031584.tif 000032
【図２３】
0004031584.tif 000033
【図２４】
0004031584.tif 000034
【図２５】
0004031584.tif 000035
【図２６】
0004031584.tif 000036
【図２７】
0004031584.tif 000037